(57)【要約】  本明細書に開示される第１の態様によれば、人間のユーザに対する第２の光源からの光の少なくとも１つの生物学的影響を低減するために、人間のユーザの瞳孔に光を放射するよう第１の光源を制御するためのコントローラであって、第２の光源からの光の特性を示す光特性データを受けるための第１の入力であって、前記特性は、人間のユーザに対する生物学的影響をもたらすタイプのものである、第１の入力と、人間のユーザの瞳孔の大きさを示す瞳孔データを受けるための第２の入力と、制御コマンドを第１の光源に送るための出力と、第１の入力を介して受ける光特性データを使用して、第２の光源からの光が前記特性を有することを決定する、第２の光源からの光が前記特性を有するという前記決定に応答して、第２の入力を介して受ける前記瞳孔データを使用して、瞳孔の現在の大きさを決定する、及び瞳孔の現在の大きさが最小の大きさよりも大きいと決定されることを条件として、前記特性を有さない光を瞳孔に放射するよう第１の光源を制御し、それによって瞳孔の大きさを小さくするよう構成されるプロセッサとを含む、コントローラが提供される。
2020506501.tif 000002
【特許請求の範囲】
【請求項１】
人間のユーザに対する第２の光源からの光の少なくとも１つの生物学的影響を低減するために、人間のユーザの瞳孔に光を放射するよう第１の光源を制御するためのコントローラであって、当該コントローラは、
前記第２の光源からの光の特性を示す光特性データを受けるための第１の入力であって、前記特性は、人間のユーザに対する生物学的影響をもたらす可視スペクトルの青色部分における実質的な輝度である、第１の入力と、
前記人間のユーザの瞳孔の大きさを示す瞳孔データを受けるための第２の入力と、
制御コマンドを前記第１の光源に送るための出力と、
プロセッサと
を含み、前記プロセッサは、
前記第１の入力を介して受ける前記光特性データを使用して、前記第２の光源からの光が前記特性を有することを決定する、
前記第２の光源からの光が前記特性を有するという前記決定に応答して、前記第２の入力を介して受ける前記瞳孔データを使用して、瞳孔の現在の大きさを決定する、及び
瞳孔の現在の大きさが最小サイズよりも大きいと決定されることを条件として、前記特性を有さない光を瞳孔に放射するよう前記第１の光源を制御し、それによって瞳孔の大きさを小さくする、
よう構成される、コントローラ。
【請求項２】
前記第２の光源からの光の特性を示す前記データは、前記第２の光源からの光の特性を検出する光センサから受ける、請求項１に記載のコントローラ。
【請求項３】
前記第２の光源からの光の特性を示す前記データは、前記第２の光源の特性を記憶するデータベースから受ける、請求項１に記載のコントローラ。
【請求項４】
前記プロセッサは、前記第１の光源の第１の光出力設定から前記第１の光源の第２の光出力設定への遷移時間を指定する時定数で前記第１の光源の前記制御を実行する、請求項１、２又は３に記載のコントローラ。
【請求項５】
前記第２の光源は、コンピューティングデバイスのスクリーンである、請求項１乃至４のいずれか一項に記載のコントローラ。
【請求項６】
前記第２の光源は、前記人間のユーザの環境を照らすよう構成される照明器具である、請求項１乃至４のいずれか一項に記載のコントローラ。
【請求項７】
前記瞳孔データは、前記人間のユーザの瞳孔の大きさを検出する瞳孔センサから受ける、請求項１乃至６のいずれか一項に記載のコントローラ。
【請求項８】
前記瞳孔センサは、前記人間のユーザの瞳孔の画像を撮像するよう構成されるカメラである、請求項７に記載のコントローラ。
【請求項９】
前記カメラは、前記人間のユーザのユーザデバイスに組み込まれる、請求項８に記載のコントローラ。
【請求項１０】
請求項８に記載のコントローラと前記カメラとを含むユーザデバイスであって、前記カメラは、当該ユーザデバイスに組み込まれた前面カメラである、ユーザデバイス。
【請求項１１】
前記第１の光源は、当該ユーザデバイスとは別個の光源である、請求項１０に記載のユーザデバイス。
【請求項１２】
請求項１０又は１１に記載のユーザデバイスと前記第１の光源とを含むシステム。
【請求項１３】
人間のユーザに対する第２の光源からの光の少なくとも１つの生物学的影響を低減するために、人間のユーザの瞳孔に光を放射するよう第１の光源を制御する方法であって、当該方法は、
前記第２の光源からの光の特性を示す光特性データを受けるステップであって、前記特性は、人間のユーザに対する生物学的影響をもたらす可視スペクトルの青色部分における実質的な輝度である、ステップと、
前記人間のユーザの瞳孔の大きさを示す瞳孔データを受けるステップと、
前記光特性データを使用して、前記第２の光源からの光が前記特性を有することを決定するステップと、
前記第２の光源からの光が前記特性を有するという前記決定に応答して、前記瞳孔データを使用して、瞳孔の現在の大きさを決定するステップと、
瞳孔の現在の大きさが最小サイズよりも大きいと決定されることを条件として、前記特性を有さない光を瞳孔に放射するよう前記第１の光源を制御し、それによって瞳孔の大きさを小さくするステップと
を含む、方法。
【請求項１４】
当該方法は、前記第１の光源を前記人間のユーザ又は前記人間のユーザの眼の近くに設けるステップを含む、請求項１３に記載の方法。
【請求項１５】
１つ以上の処理ユニットによって実行された場合、請求項１３又は１４に記載の方法を実行するよう構成されるコンピュータ可読記憶媒体に具現化されたコンピュータ実行可能コードを含むコンピュータプログラム。
【発明の詳細な説明】
【技術分野】
【０００１】
本開示は、ユーザに対する照明デバイスの生物学的影響(biological effect)を管理するためのシステム及び方法に関する。
【背景技術】
【０００２】
光スペクトルのさまざまな部分が、人間の行動や健康に影響を与えることが知られている。これは、とりわけ、人間の眼に入る光に当てはまる。光は、生理的影響(physiological effect)（例えば、概日リズム調整）及び心理的影響(psychological effect)（例えば、リラックスした雰囲気）の両方を引き起こし得る。例えば、スペクトルの青色部分（４８０ｎｍ周辺）は、概日リズム、覚醒(alertness)及び睡眠の質に影響を及ぼすことが知られており、季節性情動障害（ＳＡＤ：Seasonal Affective Disorder）等の状態の治療のための光線療法で使用されている。
【０００３】
用語「色温度」は既知の用語である。光源の色温度は、通常ケルビンで表される、光源に匹敵する色相を生成する理想黒体放射体の温度に等しい。色温度が高いほど、光源は、スペクトルの青色部分がより多い光を出力する。
【０００４】
米国特許出願公開第２０１６／３４１４３６Ａ１号は、（ａ）人間の被験者の少なくとも１つの健康状態に関連する生理学的データのセットを受けるステップと、（ｂ）人間の被験者がさらされている、又はさらされていた１つ以上の環境条件に関連する環境データのセットを受けるステップと、（ｃ）生理学的データのセットの少なくとも一部と環境データのセットの少なくとも一部とに少なくとも部分的に基づいて少なくとも１つの環境デバイスに対する動作パラメータのセットを決定するステップと、（ｄ）人間の被験者がさらされる少なくとも１つの被制御環境条件を少なくとも部分的に制御し、それによって少なくとも１つの健康状態を少なくとも部分的に制御するために、動作パラメータのセットを少なくとも１つの環境デバイスに送信するステップとを含む方法を開示する。とりわけ、制御される健康状態は、人間の被験者の概日バイオリズムである。
【発明の概要】
【発明が解決しようとする課題】
【０００５】
ラップトップ又はタブレットのＬＥＤスクリーン等の多くの光源は、スペクトルの青色部分に多くのエネルギを持つ。斯くして、特に就寝前の夜間に使用される場合、これらのデバイスを見つめることは、行動及び健康に悪影響を与える可能性がある。逆に、これらのデバイスは、上記で概説されたように、障害の治療に使用されることもできる。
【０００６】
主な問題は、これらのデバイスから来る青色光の不要な(unwanted)又は不所望な(undesired)影響がどのようにして制限され得るかということである。
【０００７】
既存の解決策は、スクリーンから来る光を変えるか、又は眼において該光をフィルタリングする。例えば、コンピュータアプリケーション（例えば、ｆ．ｌｕｘ）は、時刻に応じてディスプレイスクリーンの色温度を変える。また、特別な（オレンジ色の）メガネが、スペクトルの青色部分を取り除くために使用されることもできる。両方のタイプの解決策（メガネ又はｆ．ｌｕｘ）は、スクリーンから来る光の見掛け(appearance)を変える（光は黄色がかり、ましてはオレンジ色にさえ見える）。
【課題を解決するための手段】
【０００８】
従来技術の解決策とは対照的に、本発明は、適応的な方法で青色光の悪影響を軽減するために発光デバイスの外部に光を加える。この思想は、瞳孔の大きさは眼に入射する光量によって直接影響を受ける、すなわち、光が多いほど瞳孔の大きさは小さくなるという知識に基づいている。瞳孔は、眼球内の光量、最も重要なことには、眼の光感応部分、すなわち、網膜における光量を調節する。瞳孔の大きさが小さいほど、光の入射は減る。スペクトルの青色部分を含まない外部光を加えることによって、結果として生じる瞳孔の大きさの減少は、（全体としてより多くの光があるとしても）網膜における青色光の総量を減少させる。人間の瞳孔は、典型的には直径約２ｍｍの最小サイズを有する。
【０００９】
しかしながら、とりわけ夜間において、人々は低い光レベルを有することを好む。眼に差し込む青色光（眼に当たる青色光がない場合光は追加されない）及び瞳孔径（既に小さい場合、追加の光を加えても利益はないであろう）に応じて周囲光レベルを変えることによって、低い光レベルと網膜における青色光の減少との間のバランスが見出され得る。眼に到達する光のスペクトルの全体的な組成が追加の光源のために変わるとしても、（例えば、タブレットデバイス等の）デバイスからくる色は、知覚的に同じままである（色の恒常性）。したがって、開示されるシステム／方法の利点は、（タブレットデバイス等の）デバイスから放射される光の生物学的影響が、デバイスから放射される光の（例えば、スペクトルパワー分布又は強度の観点で）特性を変えることなくから減少されることである。これは、明るさ若しくは色温度等の光設定の観点で制御できない、又はユーザが快適な読書／視聴のためにこれらの光設定を変えることを望まない（モバイルデバイス、タブレット、コンピュータスクリーン又はテレビスクリーン等の）ディスプレイデバイスの使用に特に有利である。
【００１０】
本明細書に開示される第１の態様によれば、人間のユーザに対する第２の光源からの光の少なくとも１つの生物学的影響を低減するために、人間のユーザの瞳孔に光を放射するよう第１の光源を制御するためのコントローラであって、第２の光源からの光の特性を示す光特性データを受けるための第１の入力であって、前記特性は、人間のユーザに対する生物学的影響をもたらすタイプのものである、第１の入力と、人間のユーザの瞳孔の大きさを検出する瞳孔センサ(pupil sensor)からの瞳孔センサデータを受けるための第２の入力と、制御コマンドを第１の光源に送るための出力と、（ｉ）第１の入力を介して受ける光特性データを使用して、第２の光源からの光が前記特性を有することを決定する、（ｉｉ）第２の光源からの光が前記特性を有するという前記決定に応答して、第２の入力を介して受ける前記瞳孔センサデータを使用して、瞳孔の現在の大きさを決定する、及び（ｉｉｉ）瞳孔の現在の大きさが最小サイズよりも大きいと決定されることを条件として、前記特性を有さない光を瞳孔に放射するよう第１の光源を制御し、それによって瞳孔の大きさを小さくするよう構成されるプロセッサとを含む、コントローラが提供される。
【００１１】
第２の光源がコントローラによって制御可能でない場合でも、第１の光源は、制御不可能な第２の光源によって放射される光を補償するよう制御されることができる。
【００１２】
ある実施形態では、第１の光源の光出力を制御する前記ステップは、第１の光源の光出力の明るさ(brightness)、とりわけ、光の光度(luminous intensity)（すなわち、可視スペクトル内の強度(intensity)）を増加させることを含む。
【００１３】
ある実施形態では、第２の光源からの光の特性を示す前記データは、第２の光源からの光の特性を検出する光センサから受ける。
【００１４】
ある実施形態では、第２の光源からの光の特性を示す前記データは、第２の光源の特性を記憶するデータベースから受ける。
【００１５】
ある実施形態では、前記特性は、可視スペクトルの青色部分における実質的な輝度(substantial luminance)である。この文脈における「実質的な(substantial)」は、青色光に関連する生理学的影響を引き起こすのに十分に高い、可視スペクトルの青色部分の相対強度を意味する。すなわち、（ある実施形態では約４５０ｎｍ以上の）スペクトルの青色部分の強度が、可視スペクトルの残りの部分に対して、そのような生理学的影響を引き起こすのに十分に高いことを意味する。
【００１６】
ある実施形態では、プロセッサは、第１の光源の第１の光出力設定から第１の光源の第２の光出力設定への遷移時間を指定する時定数で第１の光源の前記制御を実行するよう構成される。
【００１７】
ある実施形態では、第２の光源は、コンピューティングデバイスのスクリーンである。
【００１８】
ある実施形態では、第２の光源は、人間のユーザの環境を照らすよう構成される照明器具である。
【００１９】
ある実施形態では、瞳孔データは、人間のユーザの瞳孔の大きさを検出する瞳孔センサ（３０２）から受ける。
【００２０】
ある実施形態では、瞳孔センサは、人間のユーザの瞳孔の画像を撮像するよう構成されるカメラである。
【００２１】
ある実施形態では、カメラは、人間のユーザのユーザデバイスに組み込まれる。
【００２２】
ある実施形態では、コントローラ及び第１の光源は、人間のユーザによって選択的にオン及びオフにされ得るサブシステム（「補償システム("compensatory system")」）を形成する。
【００２３】
本明細書に開示される第２の態様によれば、第１の態様によるコントローラとカメラとを含むユーザデバイスであって、カメラは、ユーザデバイスに組み込まれた前面カメラである、ユーザデバイスが提供される。
【００２４】
ある実施形態では、第１の光源は、ユーザデバイスとは別個の光源である。例えば、第１の光源は、カメラを含むユーザデバイス以外のデバイス（例えば、ウェアラブルヘッドセット等の異なる第２のユーザデバイス）に組み込まれてもよく、ユーザの環境を照らすよう構成される照明器具等の、ユーザデバイスとは別個の別の光源であってもよい。
【００２５】
本明細書に開示されている第３の態様によれば、ユーザデバイスと第１の光源とを含むステムが提供される。
【００２６】
本明細書に開示される第４の態様によれば、人間のユーザに対する第２の光源からの光の少なくとも１つの生物学的影響を低減するために、人間のユーザの瞳孔に光を放射するよう第１の光源を制御する方法であって、（ｉ）第２の光源からの光の特性を示す光特性データを受けるステップであって、前記特性は、人間のユーザに対する生物学的影響をもたらすタイプのものである、ステップと、（ｉｉ）人間のユーザの瞳孔の大きさを示す瞳孔データを受けるステップと、（ｉｉｉ）光特性データを使用して、第２の光源からの光が前記特性を有することを決定するステップと、（ｉｖ）第２の光源からの光が前記特性を有するという前記決定に応答して、前記瞳孔データを使用して、瞳孔の現在の大きさを決定するステップと、（ｖ）瞳孔の現在の大きさが最小サイズよりも大きいと決定されることを条件として、前記特性を有さない光を瞳孔に放射するよう第１の光源を制御し、それによって瞳孔の大きさを小さくするステップとを含む方法が提供される。
【００２７】
本明細書に開示される別の態様によれば、１つ以上の処理ユニットによって実行された場合、第４の態様による方法を実行するよう構成されるコンピュータ可読記憶媒体に具現化されたコンピュータ実行可能コードを含むコンピュータプログラムが提供される。
【図面の簡単な説明】
【００２８】
本開示の理解を助け、実施形態がどのように実施され得るかを示すために、例として添付の図面を参照する。
【図１】本発明のある実施形態によるシステムを示す。
【図２】本発明のある実施形態による別のシステムを示す。
【図３】本発明のある実施形態によるコントローラの概略図である。
【図４Ａ】ユーザに対する生物学的影響を有する光源を示す。
【図４Ｂ】ユーザに対する生物学的影響の最小化を示す。
【発明を実施するための形態】
【００２９】
図１は、本発明のある実施形態によるシステムを示す。システムは、第１の光源１０１、第２の光源１０２、光センサ３０１、瞳孔センサ３０２及びコントローラ４００を含む。人間の眼２００も示されている。
【００３０】
第２の光源１０２は、光出力を生成する任意のデバイスであってもよく、したがって、照明器具等の専用照明デバイス（例えば、白熱電球、蛍光灯、ＬＥＤ照明器具等）であってもよく、又は光出力を生成するが、照明以外の主目的を有するデバイス（例えば、コンピュータスクリーン又は図１に示されるようなモバイルデバイスのスクリーン）であってもよい。
【００３１】
第２の光源１０２は、第２の光源１０２から出力された光が眼２００の瞳孔を介して眼２００に入るように構成される。一緒に、第２の光源１０２及び眼２００は、一般的な「サブシステム」１１０を表す。上述したように、人間又はユーザの眼２００に入る第２の光源１０２からの光は、ユーザに生物学的影響（生理学的又は心理的）をもたらし得る。
【００３２】
第２の光源１０２の生物学的影響は、ユーザによって必要な又は不要な場合がある。本発明は、第２の光源１０２がユーザによって直接制御可能ではない場合であっても、第２の光源１０２からの不要な影響を減少させることを可能にする。本開示を通して、必要な(wanted)及び不要なという用語はまた、所望の(desired)及び不所望であると解釈されてもよい。すなわち、第２の光源１０２は、ユーザが制御することができない、完全に別個の照明システムの一部であってもよい。これらの場合、ユーザは、照明の不要な影響を減らすことを望むかもしれないが、第２の光源１０２の設定を変更する手段がないかもしれない。それにもかかわらず、本発明は、以下で述べられる図１のさらなる要素によって、ユーザが、第２の光源１０２の不要な影響を減らすことを可能にする。
【００３３】
光センサ３０１及び瞳孔センサ３０２から入力を受ける、及び第１の光源１０１を制御するための制御コマンドを生成するコントローラ４００が設けられる。第１の光源１０１は、ＬＥＤ、白熱電球又は蛍光灯等の１つ以上の個別の照明デバイスを含んでもよい。第１の光源１０１は、ランプであり得るが、例えば、緑色光及び赤色光の組み合わせを発するＴＶ等の、複数の比較的狭帯域のＬＥＤ又はカラーフィルタを有する任意の他のデバイス（例えば、スマートフォン等のコネクテッドデバイス）の光源でもあり得る。
【００３４】
光センサ３０１は、第２の光源１０２から眼２００に当たる光のパワースペクトルを測定する。例えば、光センサ３０１は、第２の光源１０２によって出力される光のスペクトル内の青色光の量を測定する。光センサ３０１が第１の光源１０１からの光も検出するよう構成される場合、第１の光源１０１からの寄与は、第１の光源１０１の出力特性の知識を用いてセンサの読みから除去されることができる（第１の光源１０１の出力特性は、第１の光源１０１がシステムによって制御されるので、該システムにとって容易に利用可能である）。
【００３５】
瞳孔センサ３０２は、ユーザの眼２００の瞳孔の大きさを測定する。瞳孔センサ３０２は、既知の画像処理技術を使用して瞳孔のサイズが決定されることができる、ユーザの眼球２００の画像を撮影するためのカメラを含んでもよい。カメラは、可視光カメラであってもよいが、（近）赤外線カメラであってもよく、瞳孔の大きさの推定値は、眼２００からの反射光に基づいて決定されることができる。すなわち、光が、眼２００に方向付けられることができ、眼２００によって戻される／反射される光の量が、瞳孔は黒色であり、瞳孔に差し込むほとんどの光は瞳孔を通過するという事実に基づいて、瞳孔の大きさの指標として測定されることができる。瞳孔が大きいほど、反射される光は少なくなる。この場合も、そうするための技術は、当技術分野においてよく知られている。
【００３６】
コントローラ４００は、センサ３０１、３０２から来るデータに依存して第１の光源１０１を駆動する。コントローラ４００は、第２の光源１０２から生じる光からの不要な影響を低減するために必要とされる第１の光源１０１のスペクトル出力を決定する。
【００３７】
コントローラ４００は、（光センサ３０１によって測定される）第２の光源１０２からの眼に当たる過度の又は過剰な青色光があるが、瞳孔の径が最小サイズよりも大きい場合にのみ、第１の光源１０１からの青色不足光(blue deprived light)の光強度又は明るさを増加させる。第１の光源１０１からの青色不足光は、例えば、スポットライト若しくは読書灯等のユーザの近く若しくは近傍にある、又は、メガネ若しくは他のウェアラブルデバイスに内蔵される等ユーザの眼の近く若しくは近傍にある専用の光源によって、アンビエント照明設定に対する変更が最小限又はないように提供されることができる。
【００３８】
効果が望まれるか否かに関する情報は、例えば後述のユーザデバイスを介して、ユーザによってコントローラ４００に提供され、以下でより詳細に述べられるようにコントローラ４００によってメモリに記憶されることができることに留意されたい。
【００３９】
図２は、光センサ３０１を含まない代替的なシステムを示す。代わりに、第２の光源１０２に関する情報（例えば、第２の光源１０２が組み込まれているデバイスのタイプを示す情報）が、コントローラ４００によって受けられ、その後、図２に示されるデータベース５００等のメモリから第２の光源１０２の光出力に関する情報を取得するためにコントローラ４００によって使用される。データベース５００は、ネットワークを介してアクセス可能な外部データベースでもよく、コントローラ４００自体の内部メモリであってもよい。すなわち、眼２００に差し込む光を測定するというよりも、コントローラ４００は、第２の光源２０１のスペクトルが何であるかを見い出すためにデータベース５００を使用する。第２の光源２０１がコンピューティングデバイスの一部である場合、例えば、第２の光源２０１がタブレット又はモバイルデバイスのスクリーンである場合、ユーザは、デバイスがオンされる若しくはアクティブである場合に光源２０１を見ている、又は少なくとも、第２の光源２０１から何らかの光がユーザの眼２００に入っていると見なされる。当技術分野で知られているように、デバイスがアクティブであるか否かは、デバイスのＢｌｕｅｔｏｏｔｈ（登録商標）信号の存在又はＷｉＦｉアクティビティをチェックすることによって判断されることができる。
【００４０】
図３は、コントローラ４００の概略図を示す。コントローラは、第１の入力４０１、第２の入力４０２、プロセッサ４０３及び出力４０４を含む。コントローラ４００は、内部メモリ（図示せず）を含んでもよい。図３はまた、ユーザ６００、及び、上述のように、ユーザ６００によって、ある生物学的影響が必要とされるか又は必要とされないかどうかのインディケーションを提供するために使用されてもよい、ユーザ６００のユーザデバイス６０１（例えば、モバイルデバイス又は他のコンピューティングデバイス）を示す。
【００４１】
第１の入力４０１は、第２の光源からの光の特性を示す光特性データを受けるよう構成され、該特性は、人間のユーザに対する生物学的影響をもたらすタイプのものである。図１におけるように、これは、光センサ３０１によって直接検知された光特性データを受けることを含んでもよく（これは図３に示されている）、又は図２に示されるように、これは、データベース５００から光特性データを取得することを含んでもよい（これは図３に示されていない）。いずれにしても、第２の光源１０２からの光の特性が決定される場合、コントローラ４００は、光がユーザに対する生物学的影響を有するか否かをそこから決定することができる。コントローラ４００はまた、例えば上述のように記憶されたインディケーションに基づいて、この影響がユーザによって所望とされるか又は所望とされないかどうかを判断することができる。
【００４２】
第２の入力４０２は、人間のユーザの瞳孔の大きさを検出する瞳孔センサ３０２から瞳孔センサデータを受けるよう構成される。
【００４３】
出力４０４は、制御コマンドを第１の光源１０１に送るよう構成される。そうするための方法は、当技術分野でよく知られているので、本明細書では詳細に述べられない。
【００４４】
プロセッサ４０３は、第１の入力を介して受ける光特性データを使用して、第２の光源からの光が前記特性を有することを決定する、第２の光源からの光が前記特性を有するという前記決定に応答して、第２の入力を介して受ける瞳孔データを使用して、瞳孔の現在の大きさを決定する、及び瞳孔の現在の大きさが所望の範囲外であると決定されることを条件として、瞳孔の大きさを該所望の範囲内にするために第１の光源の光出力を制御するよう構成される。
【００４５】
瞳孔が所望の範囲外であるか否かは、直接の瞳孔サイズ測定から決定される必要はなく、他の要因から推論されることも可能である。例えば、瞳孔の大きさが最小サイズより大きいという決定は、存在する周囲光の量から推論されることができる。この光レベルが閾値を下回る場合、瞳孔はその最小サイズではないと見なされることができる。
【００４６】
例えば、第２の光源１０２は、ユーザ６００がビデオを見ているコンピューティングデバイス（例えば、タブレット、電話又はコンピュータ）のスクリーンであってもよい。デバイスは、例えば夜ユーザ６００がその後すぐに眠りたい場合に、望ましくないかもしれない（照明されるスクリーンで一般的であるような）過度の青色光を放射する可能性がある。光センサ３０１は、ユーザの眼２００の近くに位置付けられ（例えば、メガネ等のウェアラブルデバイスに組み込まれ）てもよく、第２の光源１０２からの光のスペクトルが大量の青色を含むことを検出する。瞳孔センサ３０２は、カメラであってもよく、メガネに実装されてもよいが、ユーザの画像を撮像するコンピューティングデバイスの前面カメラ等、コンピューティングデバイス自体に実装されてもよい。コントローラ４００は、コンピューティングデバイス自体に実装されてもよく、上述のようにメガネに実装されてもよく、第１の光源１０１の一部であってもよく、又は上述したセンサ３０１及び３０２等の入力デバイス並びに上述した第１の光源１０１等の出力デバイスと機能的に接続される別個のコントローラであってもよい。センサ３０１、３０２及びコントローラ４００は、好ましくは無線（例えば、ＷｉＦｉ）で通信するが、有線接続、又は有線接続と無線接続との組み合わせを介して接続されることを排除するものではない。光センサ３０１及び瞳孔サイズセンサ３０２からの入力に基づいて、コンピューティングデバイスの光源（すなわち、第２の光源１０２）の光量が決定される。瞳孔の大きさがまだ最小ではなく、光が過度に青色である場合、周囲光（すなわち、第１の光源１０１）の量が、瞳孔径を減少させるために、及びそれに伴い網膜で受ける青色光の量を減少させるために増加される。瞳孔の大きさが最小（約２ｍｍ）である場合、光を追加しても瞳孔径はもはや変化することはなく、ゆえに、網膜に当たる青色光の量をさらに減らすことはできないであろう。
【００４７】
他の実施形態では、コントローラ４００、光センサ３０１及び瞳孔センサ３０２はすべて、ユーザ６００によって操作されるタブレット又はスマートフォン等の同じ物理的デバイス（すなわち、ユーザデバイス６０１）に実装される。代替的に、光センサ３０１及び瞳孔センサ３０２は、ユーザデバイス６０１に実装されてもよく、コントローラ４００は、センサデータが処理のために送信されるサーバ等の外部コンピューティングデバイスに実装されてもよい。これは、第１の光源１０１が環境内の室内照明等のアンビエント光源であり、既にコントローラによって制御されている実施形態においてとりわけ有利であり得る。
【００４８】
図４Ａ及び図４Ｂは、本発明の一つの有利な点を示す。図４Ａは、眼２００への第２の光源１０２のみからの光の入射を示し、図４Ｂは、本発明におけるように、第１の光源１０１からの光を加えることによって提供される改善を示す。
【００４９】
図４Ａでは、第２の光源１０２によって出力される光の例示的なスペクトル１５２が眼２００に入るように示されている。スペクトル１５２は、治療ウインドウ７００内にかなりの量のパワーを含む。治療ウインドウ７００は、この例では、青色波長の光を含むものとして示されているが、異なる範囲のスペクトルが異なる生物学的影響にとって重要であり得ることを理解されたい。図４Ａに示されている治療ウインドウは、例えば、ユーザ６００の覚醒を高めるのにとりわけ効果的であり得る。
【００５０】
プロセッサ４０３は、スペクトル１５２に関する情報を受け、この情報は少なくとも、上述のように光が生物学的影響をもたらすか否かを含む。この例では、生物学的影響は覚醒であり、プロセッサ４０３は、第２の光源１０２からの光が実際にこの影響をユーザ６００に生じさせると決定する。プロセッサ４０３はさらに、例えば上述のようにユーザデバイス６０１からのユーザ入力に基づいて、この影響がユーザ６００によって望まれるか否かを決定する。この決定は、他の情報に基づいてプロセッサ４０３によってなされてもよい。例えば、「覚醒」効果は、朝時間中（例えば、午前７時〜午前９時）には望まれるが、夜間（例えば、午後９時以降）には望まれないと見なされてもよい。
【００５１】
プロセッサ４０３はまた、ユーザの眼２００の瞳孔の大きさに関する情報も受ける。この例では、瞳孔２０１は大きく、プロセッサ４０３は、瞳孔２０１が最小サイズより大きいか否かを決定する。この場合、瞳孔の大きさは、人間の瞳孔についての２ｍｍ等の最小サイズよりも大きく、瞳孔２０１に入射する青色光の覚醒効果は、明示的にユーザデバイス６０１を介してユーザによって指定される又は夜間のために想定される等、ユーザ６００によって必要とされない。
【００５２】
図４Ｂは、図４Ａと同じ状況を示しているが、本発明による第１の光源１０１が追加された状況を示している。第１の光源１０１は、スペクトル１５１によって示される出力スペクトルを有する。特に、第１の光源１０１は、治療ウインドウ７００内で大きなパワーを出力しない。すなわち、第１の光源１０１は、第２の光源１０２のように覚醒効果を生じない。
【００５３】
上述のように、プロセッサ４０３は、第２の光源１０２がユーザ６００に対して望ましくない生物学的影響を有する光を出力していると決定している。プロセッサ４０３はまた、瞳孔２０１が最小サイズより大きいとも決定している。これに応答して、プロセッサ４０３は、特に治療ウインドウ７００の外側の光スペクトルにおいて、その光出力を増大させるよう第１の光源１０１を制御する。これは、眼２００に入射する光の総量（すなわち、第１の光源１０１及び第２の光源１０２から組み合わされた光）を増加させ、したがって瞳孔２０１を収縮させる。ここで、「光出力」は、第１の光源１０１の強度(intensity)を指し、これは、光を知覚する人間のユーザによって知覚される明るさと相関し得ることに留意されたい。
【００５４】
ここで、追加の光は赤みを帯びている光（すなわち、治療ウインドウ７００の外側の光学的パワー）を含むので、瞳孔２０１の大きさは、ユーザの眼２００に提供される光の総量を増加させることによるが、青色光の総量（すなわち、治療ウインドウ７００内の全体の光パワー）を増加させることなく低減されている。したがって、より少ない青色光が図４Ａの状況に比べて図４Ｂの状況においてユーザの眼２００に入射し、これは、不要な生物学的影響を減少させる。
【００５５】
上記の実施形態は例としてのみ述べられていることを理解されたい。開示された実施形態に対する他の変更は、図面、開示、及び添付の特許請求の範囲の研究から、クレームされた発明を実施する際に当業者によって理解され、達成され得る。
【００５６】
そのような変形の第１の例として、眼２００に到達する治療光の（総）量に直接基づく第１の光源１０１の修正が、この光源の出力における望ましくない振動挙動(oscillating behaviour)を招く可能性があることが考えられる。例えば、センサによって測定されるスペクトルの青色部分におけるエネルギが絶えず変化している場合、外部光源（例えば、第１の光源１０１）は絶えず自身の強度及び／又は色若しくは色温度を変える、すなわち、青色光への暴露が増加する場合より低い色温度又はより暖かい色にシフトする、及び、青色光が再び減少する場合より高い色温度又はより冷たい色に戻ることになる。ユーザ６００がこの挙動に悩まされたり邪魔されたりするのを防ぐために、コントローラ４００は、光修正のための時定数を設定することができる。すなわち、コントローラ４００は、第１の光源１０１の照明設定に対する時間的な変化を「滑らかにする(smooth out)」ことができる。高い時定数が設定される場合、第１の光源１０１は、センサによって測定される青色成分の変化にゆっくりとしか反応しないが、時定数が低い場合には素早く反応する。
【００５７】
人間の眼の瞳孔サイズ調整は、ある波長の光に対して他の波長の光よりも敏感である。したがって、第１のライト１０１の色温度を制御することが、瞳孔の大きさを変えるために使用されることもできる。
【００５８】
第２の例として、第１の光源１０１の起動は、「補償」システムと考えられてもよく、ユーザ６００によって任意選択的にオン及び／又はオフにされてもよい。例えば、ユーザデバイス６０１は、補償ライトシステムがいつ又はどこでアクティブにされるべきかを指定するためにユーザ６００によって使用されてもよい。補償システムが「オフ」である場合、システムは、第１の光源１０１及びコントローラ４００と相互作用することのないサブシステム１１０におけるように機能する。補償システムが「オン」である場合、システムは、第１の光源１０１及びそのコントローラ４００がアクティブであるように、本明細書で述べられるよう機能する。
【００５９】
特許請求の範囲において、「含む（comprising）」という単語は他の要素又はステップを排除するものではなく、不定冠詞「a」又は「an」は複数を除外しない。単一のプロセッサ又は他のユニットが、請求項に列挙されたいくつかの項眼の機能を果たすことができる。特定の手段が相互に異なる従属請求項に列挙されているという単なる事実は、これらの手段の組み合わせが有利に使用できないことを示すものではない。コンピュータプログラムは、他のハードウェアと一緒に又は他のハードウェアの一部として供給される光学記憶媒体又は固体媒体等の適切な媒体上に記憶／頒布されてもよいが、インターネット又は他の有線若しくは無線の電気通信システム等の他の形態で頒布されてもよい。請求項中の如何なる参照符号も範囲を限定するものとして解釈されるべきではない。
【図１】
2020506501.tif 000003
【図２】
2020506501.tif 000004
【図３】
2020506501.tif 000005
【図４Ａ】
2020506501.tif 000006
【図４Ｂ】
2020506501.tif 000007
【国際調査報告】
2020506501.tif 000008
2020506501.tif 000009
2020506501.tif 000010